(57)【特許請求の範囲】
【請求項１】
コークス炉の炭化室に断熱ブロックを積み上げて前記炭化室を補修するに際して、前記炭化室の床面に敷設される左右一対のガイドレールと該ガイドレールにより前記炭化室の内部に案内される断熱ブロック搬送台車とを用い、前記断熱ブロック搬送台車の上面に前記断熱ブロックを積み上げて前記炭化室の断熱を行うものであって、
前記炭化室の内部に断熱シートを装炭口から吊り下げて前記断熱シートにより炭化室の内部を補修側と非補修側とに二分する工程と、
補修するほうの前記炭化室の炉扉を開放した後、前記炭化室の床面に左右一対の前記ガイドレールであって、前記炭化室の床面から垂直に立上げられた垂直プレート部と、該垂直プレート部の上端部に水平に形成された水平プレート部とを有するガイドレールを前記断熱シートの近くまで敷設する工程と、
前記ガイドレールにより前記炭化室の内部に案内される前記断熱ブロック搬送台車であって、前記断熱ブロックを積載可能な台車本体と、前記ガイドレールの水平プレート部を挟むように前記台車本体の左右側面前部と左右側面後部に設けられた一対の車輪とを有する断熱ブロック搬送台車の上面に前記断熱ブロックを前記炭化室の外部で積み上げる工程と、
前記断熱ブロック搬送台車を前記断熱シートの近くまで移動させ、前記断熱ブロック搬送台車の上面に積み上げられた前記断熱ブロックにより輻射熱を断熱する工程とを含むことを特徴とするコークス炉の炭化室断熱方法。
【発明の詳細な説明】
【技術分野】
【０００１】
本発明は、コークス炉、特に室炉式コークス炉の炭化室の断熱方法に関する。
【背景技術】
【０００２】
高炉などで使用されるコークスを生成する室炉式コークス炉は、図５に示すように、蓄熱室１を有しており、この蓄熱室１の上部には、複数の炭化室２と燃焼室３が交互に並設されている。また、この種のコークス炉は石炭塔４を有しており、この石炭塔４の内部に貯蔵された石炭は装炭車５により炭化室２の上部に搬送され、炭化室２の天井部に形成された装炭口６から炭化室２の内部にコークス原料として供給された後、燃焼室３で発生した熱により乾留されるようになっている。そして、炭化室２の内部で乾留された石炭（コークス）は押出し機７により炭化室２から押し出され、コークスを消火する消火車９にガイド車８を経由して供給されるようになっている。
【０００３】
ところで、このような室炉式コークス炉は、炭化室２の内壁面を形成している煉瓦に亀裂や割れが生じたり、あるいは倒れが生じたりすると、生成されたコークスを炭化室２の内部からスムーズに押し出すことが困難となり、いわゆる押し詰まりが発生しやすくなる。そこで、煉瓦の補修や積み替えが必要な炭化室２に対しては、図６に示すように、炭化室２の内部に断熱シート１０を装炭口６から吊り下げた後、炭化室２の内部に複数個の断熱ブロック１１を積み上げて炭化室２の補修を行っている（例えば、特許文献１参照）。
【特許文献１】特開２００４−１７５８２６号公報（段落０００４）
【発明の開示】
【発明が解決しようとする課題】
【０００４】
上述した方法では、コークス炉の操業を停止することなく炭化室２の補修を行うことができるが、炭化室２の内部に断熱ブロック１１を人手により搬入した後、搬入された断熱ブロック１１を約２００℃に近い高温雰囲気で人手により積み上げていたため、炭化室２の補修作業に多くの労力と時間を要していた。
本発明は上述した問題点に着目してなされたものであり、その目的は、コークス炉の炭化室を多くの労力や時間を要することなく補修することのできるコークス炉の炭化室断熱方法を提供することである。
【課題を解決するための手段】
【０００５】
上記の目的を達成するために、請求項１の発明に係るコークス炉の炭化室断熱方法は、コークス炉の炭化室に断熱ブロックを積み上げて前記炭化室を補修するに際して、前記炭化室の床面に敷設される左右一対のガイドレールと該ガイドレールにより前記炭化室の内部に案内される断熱ブロック搬送台車とを用い、前記断熱ブロック搬送台車の上面に前記断熱ブロックを積み上げて前記炭化室の断熱を行うものであって、前記炭化室の内部に断熱シートを装炭口から吊り下げて前記断熱シートにより炭化室の内部を補修側と非補修側とに二分する工程と、補修するほうの前記炭化室の炉扉を開放した後、前記炭化室の床面に左右一対の前記ガイドレールであって、前記炭化室の床面から垂直に立上げられた垂直プレート部と、該垂直プレート部の上端部に水平に形成された水平プレート部とを有するガイドレールを前記断熱シートの近くまで敷設する工程と、前記ガイドレールにより前記炭化室の内部に案内される前記断熱ブロック搬送台車であって、前記断熱ブロックを積載可能な台車本体と、前記ガイドレールの水平プレート部を挟むように前記台車本体の左右側面前部と左右側面後部に設けられた一対の車輪とを有する断熱ブロック搬送台車の上面に前記断熱ブロックを前記炭化室の外部で積み上げる工程と、前記断熱ブロック搬送台車を前記断熱シートの近くまで移動させ、前記断熱ブロック搬送台車の上面に積み上げられた前記断熱ブロックにより輻射熱を断熱する工程とを含むことを特徴とするものである。
【発明の効果】
【０００７】
請求項１の発明に係るコークス炉の炭化室断熱方法によれば、炭化室の内部に断熱ブロックを人手により搬入したり、搬入された断熱ブロックを人手により積み上げたりする必要がないので、コークス炉の炭化室を多くの労力や時間を要することなく補修することができる。
請求項１の発明に係るコークス炉の炭化室断熱方法によれば、断熱ブロックを搬送しているときに断熱ブロック搬送台車の車輪がガイドレールの水平プレート部から浮き上がることがないので、断熱ブロック搬送台車の上面に積み上げられた断熱ブロックを安定した状態で炭化室の内部に搬入して炭化室の補修を行うことができる。
【発明を実施するための最良の形態】
【０００８】
以下、図１〜図４を参照して本発明の一実施形態に係るコークス炉の炭化室断熱方法について説明する。
本発明の一実施形態に係るコークス炉の炭化室断熱方法により室炉式コークス炉の炭化室を補修する場合は、図１（ａ）に示すように、炭化室２の内部に断熱シート１０を装炭口６から吊り下げ、この断熱シート１０により炭化室２の内部を補修側と非補修側とに二分する。次に、補修するほうの炭化室２の炉扉を開放した後、図１（ｂ）に示すように、炭化室２の床面２ａに左右一対のガイドレール１２を断熱シート１０の近くまで敷設する。
【０００９】
ここで、炭化室２の床面２ａに敷設される左右一対のガイドレールとしては、図２及び図３に示すように、炭化室２の床面２ａから垂直に立上げられた垂直プレート部１２ａと、この垂直プレート部１２ａの上端部に水平に形成された水平プレート部１２ｂとを有するガイドレール１２を用いることが好ましい。
炭化室２の床面２ａにガイドレール１２を敷設したならば、図１（ｃ）に示すように、ガイドレール１２により炭化室２の内部に案内される断熱ブロック搬送台車１３の上面に断熱ブロック１１を炭化室２の外部で積み上げる。そして、図１（ｄ）に示すように、断熱ブロック搬送台車１３を断熱シート１０の近くまで移動させ、断熱ブロック搬送台車１３の上面に積み上げられた断熱ブロック１１により輻射熱を断熱した後、炭化室２を補修する。
【００１０】
ここで、ガイドレール１２により炭化室２の内部に案内される断熱ブロック搬送台車としては、図２〜図４に示すように、断熱ブロック１１を積載可能な台車本体１３ａと、ガイドレール１２の水平プレート部１２ｂを狭むように台車本体１３ａの左右側面前部と左右側面後部にガイドレール１２の水平プレート部１２ｂを狭むように設けられた上下一対の車輪１３ｂ，１３ｂとを有する断熱ブロック搬送台車１３を用いることが好ましい。
【００１１】
上述のように、炭化室２の内部に断熱ブロック１１を積み上げて炭化室２を補修するに際して、炭化室２の床面２ａに敷設される左右一対のガイドレール１２と、ガイドレール１２により炭化室２の内部に案内される断熱ブロック搬送台車１３とを用い、断熱ブロック１１を断熱ブロック搬送台車１３の上面に積み上げて炭化室２の補修を行うと、炭化室２の内部に断熱ブロック１１を人手により搬入したり、搬入された断熱ブロック１１を人手により積み上げたりする必要がないので、コークス炉の炭化室２を多くの労力や時間を要することなく補修することができる。
【００１２】
また、炭化室２の床面２ａに敷設される左右一対のガイドレールとして、炭化室２の床面２ａから垂直に立上げられた垂直プレート部１２ａと、この垂直プレート部１２ａの上端部に水平に形成された水平プレート部１２ｂとを有するガイドレール１２を用いるとともに、ガイドレール１２により炭化室２の内部に案内される断熱ブロック搬送台車として、断熱ブロック１１を積載可能な台車本体１３ａと、ガイドレール１２の水平プレート部１２ｂを狭むように台車本体１３ａの左右側面前部と左右側面後部に設けられた上下一対の車輪１３ｂ，１３ｂとを有する断熱ブロック搬送台車１３を用いると、断熱ブロック１１を搬送しているときに断熱ブロック搬送台車１３の車輪１３ｂがガイドレール１２の水平プレート部１２ｂから浮き上がることがないので、断熱ブロック搬送台車１３の上面に積み上げられた断熱ブロック１１を安定した状態で炭化室２の内部に搬入して炭化室２の補修を行うことができる。
なお、断熱ブロック１１の積み上げ作業に、従来では５人で６０時間の作業時間を要していたのに対し、本発明では５人で３６時間に短縮することができた。
【００１３】
上述した本発明の一実施形態では、炭化室の床面に敷設される左右一対のガイドレールとして、炭化室の床面から垂直に立上げられた垂直プレート部と該垂直プレート部の上端部に水平に形成された水平プレート部とを有するものを用いたが、これに限られるものではない。
また、ガイドレールにより炭化室の内部に案内される断熱ブロック搬送台車として、断熱ブロックを積載可能な台車本体と、ガイドレールの水平プレート部を狭むように台車本体の左右側面前部と左右側面後部に設けられた上下一対の車輪とを有するものを用いたが、これに限られるものではない。
【図面の簡単な説明】
【００１４】
【図１】本発明の一実施形態に係るコークス炉の炭化室断熱方法を示す図である。
【図２】本発明に係るコークス炉の炭化室断熱方法に用いられるガイドレールと断熱ブロック搬送台車の一例を示す平面図である。
【図３】図２のＡ−Ａ断面を示す図である。
【図４】図２のＢ−Ｂ断面を示す図である。
【図５】室炉式コークス炉の概略構成を示す図でる。
【図６】室炉式コークス炉の炭化室を補修するときの従来例を説明するための図である。
【符号の説明】
【００１５】
１  蓄熱室
２  炭化室
３  燃焼室
４  石炭塔
５  装炭車
６  装炭口
７  押出し機
８  ガイド車
９  消火車
１０  断熱シート
１１  断熱ブロック
１２  ガイドレール
１２ａ  垂直プレート部
１２ｂ  水平プレート部
１３  断熱ブロック搬送台車
１３ａ  台車本体
１３ｂ  車輪
【図１】
0005600383.tif 000002
【図２】
0005600383.tif 000003
【図３】
0005600383.tif 000004
【図４】
0005600383.tif 000005
【図５】
0005600383.tif 000006
【図６】
0005600383.tif 000007